(57)【要約】      （修正有）【課題】帯状の台紙に一定間隔を置いて仮着されたラベルに印字するラベルプリンタ−において、印字前に印字データを確認するかどうかを設定する設定手段を備えているラベルプリンターを提供する。【解決手段】ラベルに印字する前に各種設定を行う設定メニューの中から印字前に印字データを確認するかどうかを設定する設定手段として印字前の確認メニュー画面で少なくともイメージ表示を選択しておくと、印字前に呼出番号に対応したラベルイメージ上にレイアウトされたオブジェクトの印字データが表示される。【選択図】図８
2016087930.tif 000002
【特許請求の範囲】
【請求項１】
帯状の台紙に一定間隔を置いて長手方向にラベルが仮着されて巻回されたロール紙のラベルに印字する印字部と、印字するための各種操作を行う入力手段と、各種情報を表示する出力手段とを備えたラベルプリンタ−において、
印字前に印字データを確認するかどうかを設定する設定手段を備えていることを特徴とするラベルプリンタ−。
【請求項２】
前記設定手段には、イメージ表示の選択ができることを特徴とする請求項１に記載のラベルプリンタ−。
【発明の詳細な説明】
【技術分野】
【０００１】
本発明は、帯状の台紙に一定間隔を置いて長手方向に仮着されたラベルに印字するラベルプリンタ−において、印字前に印字データを確認するかどうかを設定する設定手段を備えているラベルプリンターに関するものである。
【背景技術】
【０００２】
従来、ラベルプリンターは、パソコンに接続され、ラベルプリンターで発行されるラベルの印字データをパソコンにインストールしたラベル編集アプリケーションで作成し、ラベル編集アプリケーションからの印字指令によってラベルプリンターにオンラインで印字するようになっている。
【０００３】
また、ラベル編集アプリケーションで作成した印字データを編集する機能を有するスタンドアローン型のラベルプリンターは、パソコンに接続されていなくてもこの印字データを編集してラベルに印字することができる。
【０００４】
このようなラベルプリンターの例としてスタンドアローン型でテープカセット収納部を備えたラベル作成装置が知られている（特許文献１参照）。
【先行技術文献】
【特許文献】
【０００５】
【特許文献１】特開２００７−２８６６７６号公報
【発明の概要】
【発明が解決しようとする課題】
【０００６】
しかしながら、特許文献１に記載のラベル作成装置は、スタンドアローン型であるため現場などに持ち運んでテープカセットのテープに印字することができるが、発行されるテープにどのようなレイアウトで作成されているのかテープを実際印字発行してみないとわからないと言う問題があった。
【０００７】
本発明は、上記問題に鑑みてなされたものであって、帯状の台紙に一定間隔を置いて仮着されたラベルに印字するラベルプリンタ−において、印字前に印字データを確認するかどうかを設定する設定手段を備えているラベルプリンターを提供することを目的とする。
【課題を解決するための手段】
【０００８】
上記の課題を解決するために請求項１に記載のラベルプリンタ−は、帯状の台紙に一定間隔を置いて長手方向にラベルが仮着されて巻回されたロール紙のラベルに印字する印字部と、印字するための各種操作を行う入力手段と、各種情報を表示する出力手段とを備えたラベルプリンタ−において、印字前に印字データを確認するかどうかを設定する設定手段を備えているものである。
【０００９】
また、上記の課題を解決するために請求項２に記載のラベルプリンタ−は、前記設定手段には、イメージ表示の選択ができるものである。
【発明の効果】
【００１０】
請求項１に記載のラベルプリンタ−は、帯状の台紙に一定間隔を置いて長手方向にラベルが仮着されて巻回されたロール紙のラベルに印字する印字部と、印字するための各種操作を行う入力手段と、各種情報を表示する出力手段とを備えたラベルプリンタ−において、印字前に印字データを確認するかどうかを設定する設定手段を備えているので、ラベルに印字することなく印字前に印字データの確認をすることができ、間違った印字データをラベルに印字することを未然に防止することができる。
【００１１】
また、請求項２に記載のラベルプリンタ−は、前記設定手段には、イメージ表示の選択ができるので、ラベルに印字ことなく印字前にラベルイメージに対するオブジェクトのレイアウトが確認でき、間違った印字データをラベルに印字することを未然に防止することができる。
【図面の簡単な説明】
【００１２】
【図１】本発明に係るラベルプリンタ−の概略印字システム図である。
【図２】本発明に係るラベルプリンタ−に装填されるロール紙を下斜目から見た斜視図である。
【図３】印字データ作成アプリケーションの印字データ作成・編集画面である。
【図４】本発明に係るラベルプリンタ−の制御部の構成を示すブロック図である。
【図５】本発明に係るラベルプリンタ−に記憶されているフォーマットファイルの概略構成図である。
【図６】本発明に係るラベルプリンタ−に記憶されている商品ファイルの概略構成図である。
【図７】本発明に係るラベルプリンターのタッチパネルラベルに表示された印字前の確認メニュー画面である。
【図８】本発明に係るラベルプリンターの印字前の確認でイメージ表示に設定した時の印字前の画面である。
【発明を実施するための形態】
【００１３】
以下の実施例にて、本発明に係るラベルプリンタ−について詳述する。なお、本発明については、実施例の詳細な説明だけに限定されるものでなく、本発明の要旨を逸脱しない範囲で適宜変更可能である。
【実施例】
【００１４】
本実施例では、帯状の台紙に一定間隔を置いて長手方向にラベルが仮着されて巻回されたロール紙を装填してラベルに印字するラベルプリンターについて説明する。図１は、本発明に係るラベルプリンタ−の概略印字システム図である。図１において、印字システム１は、後述するラベル６に印字するラベルプリンター２と印字データを作成するラベルイメージアプリケーションがインストールされたパーソナルコンピューター３（以下、ＰＣと言う。）がＵＳＢケーブル４で接続されている。
【００１５】
ラベルプリンター２には、ロール紙５が装填される収納部（図示されていない）が設けられている。図２は、本発明に係るラベルプリンタ−に装填されるロール紙を下斜目から見た斜視図である。図２において、ロール紙５は、ラベル６の裏面に粘着剤層が形成され、帯状の台紙７に一定間隔を持って長手方向にラベル６の裏面が台紙７の表面に仮着されてロール状に巻回されている。また、台紙７の裏面には、ラベル６を位置決めするためにラベルマーク８がラベル６に対して一定間隔をもって幅方向に形成されている。このラベルマーク８がラベル６の位置決めを行うための基準線となるものである。
【００１６】
ラベルプリンター２の上面には、各種情報を入出力するタッチパネル９と各種情報を入力するキーパネル１０が設けられている。また、ラベルプリンター２の後面には、ＵＳＢポートなどの各種インターフェース、スキャナーポート、電源コネクターなどが設けられている。
【００１７】
ＰＣ３は、周知のノートブックパソコンであり各種情報を表示するＬＣＤ１１、各種情報を入力するキーボード１２、マウス１３が設けられている。ラベルプリンター２自体では、ＰＣ３のような高機能を有していないため後述するラベル６に印字するラベルイメージ１０４にレイアウトされたオブジェクト１０５の印字データを作成することができないため、ＰＣ３上で印字データ作成アプリケーションを起動させて作成し、ＰＣ３とラベルプリンター２とを通信することによって印字データをラベルプリンター２に送信するようになっている。
【００１８】
図３は、印字データ作成アプリケーションの印字データ作成・編集画面である。図３において、印字データ作成・編集画面１００の上段には、ラベルサイズを定義したり各種指示などを行うメニューバー１０１とその下にはさらに下位のメニューが配置されたツールバー１０２が設けられている。また、左欄には、定義されたラベルイメージ１０４に文字、バーコード、価格、日時などの印字データを構成する要素１０５（以下、オブジェクトという。）をレイアウトしたり、それらをフォーマットしたりするツールボックス１０３が設けられている。
【００１９】
レイアウトされたオブジェクト１０５に文字、数字、記号などを入力したり選択したりする入力セル１０６が下段に設けられ、１印字データに対して1つの呼出番号が付与されている。以下、入力セル１０６に印字データが入力されたり選択されたりするごとに重複しない呼出番号が付与される。このように、ラベルイメージ１０４の上位に配置されたレイアウト１において、呼出番号に対応する入力セル１０６に入力または選択される印字データは異なるもののラベルイメージ１０４に対するオブジェクト１０５のレイアウトは同一になる。
【００２０】
さらに、ラベルサイズを再定義したラベルイメージ１０４にオブジェクト１０５を別にレイアウトしたい場合は、ラベルイメージ１０４の上位にレイアウト２を追加して印字データを作成する。このように作成された印字データは、メニューバー１０１の通信メニューの送信指令によってＰＣ３からラベルプリンター２に送信される。
【００２１】
図４は、本発明に係るラベルプリンタ−の制御部の構成を示すブロック図である。図４において、ラベルプリンター２は、制御部１４によって各部が制御される。ここで、制御部１４は、主としてＣＰＵ１５、フラッシュＲＯＭ１６、ＲＡＭ１７、モーターコントローラー１８、印字コントローラー１９、センサーコントローラー２０、外部インターフェース２１、インターフェース２２とで構成され、各部はバスライン２３を介してＣＰＵ１５に接続されている。
【００２２】
ＣＰＵ１５は、フラッシュＲＯＭ１６に記憶されているラベルプリンター２の各部を制御する制御プログラムや各種処理を行うためのアプリケーションプログラムによって、ラベルプリンター２の各部を制御したり各種処理を行ったりする。ＲＡＭ１７は、ＣＰＵ１５が各種処理を実行する上で必要となる各種データを一時的に記憶する。
【００２３】
ＲＡＭ１７は、ＰＣ３からラベルプリンター２に送信された印字データが外部インターフェース２１を介してＣＰＵ１５に供給し、バスライン２３を介してＲＡＭ１７に記憶され、たとえば、オブジェクト１０５のフォーマットが定義された後述するフォーマットファイル、呼出番号に関連付けられてオブジェクト１０５に印字データが入力された商品ファイルなどが記憶される。また、ＲＡＭ１７には、一時的に印字データを読込んで記憶するワークエリアがあり、そのワークエリアには商品ファイルから1つの呼出番号に関連する印字データを読込んで記憶する読込商品データエリア、フォーマットファイルから1つの呼出番号に関連する印字データを読込んで記憶する読込フォーマットデータエリア、印字データをドットデータに展開するドットデータ展開エリアなどを有している。
【００２４】
入力手段としてのタッチパネル９またはキーパネル１０で編集された印字データがインターフェース２２を介してＣＰＵ１５に供給され、バスライン２３を介してＲＡＭ１７に記憶されるとともに、ＣＰＵ１５からバスライン２３を介して出力手段としてのタッチパネル９に表示される。
【００２５】
印字部は、サーマルヘッド２４とプラテンローラー２６とで構成され、ロール紙５がサーマルヘッド２４とプラテンローラー２６に挟持されて印字されながら発行される。印字コントローラー１９は、ＲＡＭ１７に記憶された印字データのドットデータに対応して制御信号を生成し、サーマルヘッド２４に供給することによってラベル６に印字する。
【００２６】
一方、モーターコントローラー１８は、パルス信号をステッピングモーター２５に供給してプラテンローラー２６を回転させて、発行方向（下流側）にフィードしたり、次のラベル６の印字開始位置までロール紙５を発行方向と逆方向（上流側）にバックフィードさせたりする。
【００２７】
センサーコントローラー２０は、ラベルマーク８を検出する位置決めセンサーなどの各種センサー２７からの検出信号をバスライン２３を介してＣＰＵ１５に供給し、ＣＰＵ１５はピッチ検出データなどに基づいて演算を行いラベル６の位置などを検出する。
【００２８】
図５は、本発明に係るラベルプリンタ−に記憶されているフォーマットファイルの概略構成図である。図５において、フォーマットファイルは、呼出番号に対応するラベル６に印字されるオブジェクト１０５のフォーマットやラベル６の長さ、高さなどが設定されている。オブジェクト１０５としては、印字データ作成・編集画面１００のように商品名、原材料、日時、価格、バーコード、イメージ、会社名、住所、電話番号、リサイクルマークなどがある。位置は、ラベルイメージ１０４の左上を０，０と定義している。また、ラベルサイズは、レイアウト１またはレイアウト２のようにレイアウト名ごとに定義することができるようになっている。
【００２９】
図６は、本発明に係るラベルプリンタ−に記憶されている商品ファイルの概略構成図である。図６において、商品ファイルは、印字データ作成・編集画面１００に表示されているように入力セル１０６に入力された呼出番号に関連付けられた  商品名、原材料、日時、価格、バーコード、イメージ、会社名、住所、電話番号、リサイクルマークなどが設定されている。
【００３０】
次に、印字前に印字データを確認するかどうかを設定する設定手段について説明する。図７は、本発明に係るラベルプリンターのタッチパネルラベルに表示された印字前の確認メニュー画面である。ラベル６に印字する前に各種設定を行う設定メニューの中に印字前に印字データを確認するかどうかを設定する設定手段として印字前の確認メニューが設けられている。印字前の確認メニューを選択すると図７のような印字前の確認メニュー画面が表示され、印字前に項目表示にするかイメージ表示にするかの少なくとも一方を選択することができる。項目表示は、印字前に商品名や呼出番号などのオブジェクトをタッチパネル９上に表示させるものである。一方、イメージ表示は、印字前にラベルイメージ上にレイアウトされたオブジェクトをタッチパネル９上に表示させるものである。
【００３１】
図８は、本発明に係るラベルプリンターの印字前の確認でイメージ表示に設定した時の印字前の画面である。本発明に係るラベルプリンター２は、卓上または店舗内や工場内などに持ち運んで使用されるようにＡＣ駆動およびバッテリー駆動で印字できるようになっている。卓上で印字する場合は、通常ＰＣ３と通信しながら印字データを作成するのでＰＣ３の画面上で呼出番号に対応するラベルイメージ１０４のオブジェクト１０５を確認することができる。一方、店舗内や工場内などに持ち運んで印字する場合は、ＰＣ３と通信できる環境にないので、印字前の確認メニュー画面で少なくともイメージ表示に設定しておく。そうすることによって、印字前に呼出番号に対応したラベルイメージ１０４上にレイアウトされたオブジェクト１０５の印字データが表示されるので、ラベル６に印字させなくてもタッチパネル９上で確認することができる。この画面が図８に表示されている。
【００３２】
ここで、ラベル６に印字する手順について説明する。先ず、パソコン上の印字データ作成・編集画面１００でラベルイメージ１０４上でレイアウトされたオブジェクト１０５の印字データが通信メニューの送信指令によりラベルプリンター２に記憶される。次に、ラベルプリンター２で印字前に、印字前に印字データを確認するかどうかを設定する設定手段として印字前の確認メニュー画面で少なくともイメージ表示を選択する。
【００３３】
次に、タッチパネル９上で印字したい呼出番号○○○を入力すると、図８のような呼出番号○○○に対応するイメージ表示と発行枚数入力ボックスが表示される。図８において、発行枚数を入力してキーパネル１０の確定／発行キーにタッチすると所定枚数のラベル６が印字発行される。
【産業上の利用可能性】
【００３４】
近年、生鮮食品や加工食品などにトレーサビリティ情報を含んだ値付けや値引きラベルが製品に貼付され、これらのラベルを発行するラベルプリンターが流通業界やその他物流業界など多方面に利用されている。
【符号の説明】
【００３５】
１    印字システム
２    ラベルプリンター
３    ＰＣ
４    ＵＳＢケーブル
５    ロール紙
６    ラベル
７    台紙
８    ラベルマーク
９    タッチパネル
１０    キーパネル
１１    ＬＣＤ
１２    キーボード
１３    マウス
１４    制御部
１５    ＣＰＵ
１６    フラッシュＲＯＭ
１７    ＲＡＭ
１８    モーターコントローラー
１９    印字コントローラー
２０    センサーコントローラー
２１    外部インターフェース
２２    インターフェース
２３    バスライン
２４    サーマルヘッド
２５    ステッピングモーター
２６    プラテンローラー
２７    各種センサー
１００    印字データ作成・編集画面
１０１    メニューバー
１０２    ツールバー
１０３    ツールボックス
１０４    ラベルイメージ
１０５    オブジェクト
１０６    入力セル
【図１】
2016087930.tif 000003
【図２】
2016087930.tif 000004
【図３】
2016087930.tif 000005
【図４】
2016087930.tif 000006
【図５】
2016087930.tif 000007
【図６】
2016087930.tif 000008
【図７】
2016087930.tif 000009
【図８】
2016087930.tif 000010